(57)【要約】【課題】キートップ部のバランスを良好に保つことができるキーユニットを提供する。【解決手段】支持部材２０３，２０４は、支持部２２３，２２４に対して回転自在に支持されるシャフト部２０３ａ，２０４ａと、シャフト部２０３ａ，２０４ａの両端部からそれぞれ延びる第１のアーム部２０３ｂ，２０４ｂ及び第２のアーム部２０３ｃ，２０４ｃと、を有している。ボス部２２１ａは、キー部２０２の重心位置から所定方向にずれて位置している。シャフト部２０３ａ，２０４ａの両端部のうち、重心位置に対してボス部２２１ａとは反対側における端部のベース部２０１からの高さＨ１は、他方の端部のベース部２０１からの高さＨ２よりも高い。【選択図】図５
2014075203.tif 000002
【特許請求の範囲】
【請求項１】
キー入力を行うためのキーユニットであって、
ベース部と、
前記ベース部に対して上下方向に移動自在に取り付けられるキー部と、
前記ベース部と前記キー部との間に設けられ、前記キー部を支持する支持部材と、を備え、
前記ベース部は、前記キー部に向けて突出するガイド部を有し、
前記キー部は、
キートップ部と、
前記キートップ部の裏面側に設けられ、前記ガイド部に沿って移動するボス部と、
前記キートップ部の前記裏面側に設けられ、前記支持部材を回転自在に支持する支持部と、を有し、
前記支持部材は、
前記支持部に回転自在に支持されるシャフト部と、
前記シャフト部の両端部からそれぞれ延びる第１のアーム部及び第２のアーム部と、を有し、
前記第１のアーム部及び前記第２のアーム部の各々の端部は、前記ベース部に支持され、
前記ボス部は、前記キー部の重心位置から所定方向にずれて位置しており、
前記シャフト部の前記両端部のうち、前記重心位置に対して前記ボス部とは反対側における端部の前記ベース部からの高さは、他方の端部の前記ベース部からの高さよりも高い
キーユニット。
【請求項２】
前記第１のアーム部及び前記第２のアーム部の一方は、それらの他方に対して、前記シャフト部の回転方向に且つ前記ベース部側に向けて所定の角度だけねじられている
請求項１に記載のキーユニット。
【請求項３】
前記第１のアーム部及び前記第２のアーム部の一方の長さは、それらの他方の長さよりも長い
請求項１に記載のキーユニット。
【請求項４】
前記第１のアーム部及び前記第２のアーム部の一方は、それらの他方に対して離隔する方向に屈曲されている
請求項１に記載のキーユニット。
【請求項５】
前記第１のアーム部及び前記第２のアーム部の一方は、それらの他方に対して近接する方向に屈曲されている
請求項１に記載のキーユニット。
【請求項６】
請求項１〜５のいずれか１項に記載のキーユニットを備える
電子機器。
【請求項７】
前記電子機器は、キャッシュレジスタである
請求項６に記載の電子機器。
【発明の詳細な説明】
【技術分野】
【０００１】
本発明は、キー入力を行うためのキーユニット及びこれを備えた電子機器に関する。
【背景技術】
【０００２】
例えば、キャッシュレジスタ及びパーソナルコンピュータのキーボード等の電子機器には、キー入力を行うためのキーユニットが設けられている（例えば、特許文献１参照）。従来のキーユニットでは、キー部がベース部に対して押し下げ可能に取り付けられている。ベース部は、キー部に向けて突出する筒状のガイド部を有している。キー部は、キートップ部と、当該キートップ部に設けられ、ガイド部に移動自在に挿入されるボス部（突起部）と、を有している。ベース部のガイド部に対応する位置には、スイッチ部が設けられている。
【０００３】
さらに、ベース部とキー部との間には、キー部をベース部側から支持するための支持部材が設けられている。支持部材は、シャフト部と、シャフト部の両端部からそれぞれ平行に且つ同じ方向に延びる第１のアーム部及び第２のアーム部と、を有している。シャフト部は、キートップ部の裏面側に回転自在に取り付けられている。第１のアーム部及び第２のアーム部の各々の端部は、ベース部に対して移動自在に取り付けられている。第１のアーム部の長さと第２のアーム部の各々の長さとは、同じ長さである。
【０００４】
ユーザがキートップ部を指等で押し下げることにより、ボス部がガイド部を通してスイッチ部を押圧する。このようにスイッチ部が押圧されることにより、キー入力が実行される。ユーザがキートップ部から指等を離した際には、コイルばね等の弾性復元力によって、キートップ部が押し上げられて元の位置に復帰する。
【先行技術文献】
【特許文献】
【０００５】
【特許文献１】実開平７−４１９００号公報
【発明の概要】
【発明が解決しようとする課題】
【０００６】
しかしながら、上述した従来のキーユニットでは、次のような問題がある。ボス部がキー部の重心位置からずれた位置に設けられている場合には、キートップ部は、バランスを保つことができずにベース部に対して斜めに傾くおそれがある。このようにキートップ部が傾いた状態で押し下げられた際には、ボス部とガイド部との間に大きな摩擦が生じるため、キートップ部の押し下げ動作が不安定となる。同様に、キートップ部が傾いた状態で押し上げられた際にも、ボス部とガイド部との間に大きな摩擦が生じるため、キートップ部の復帰動作が不安定となる。
【０００７】
そこで、本発明は、キートップ部のバランスを良好に保つことができるキーユニット及びこれを備えた電子機器を提供する。
【課題を解決するための手段】
【０００８】
上記目的を達成するために、本発明の一態様に係るキーユニットは、キー入力を行うためのキーユニットであって、ベース部と、前記ベース部に対して上下方向に移動自在に取り付けられるキー部と、前記ベース部と前記キー部との間に設けられ、前記キー部を支持する支持部材と、を備え、前記ベース部は、前記キー部に向けて突出するガイド部を有し、前記キー部は、キートップ部と、前記キートップ部の裏面側に設けられ、前記ガイド部に沿って移動するボス部と、前記キートップ部の前記裏面側に設けられ、前記支持部材を回転自在に支持する支持部と、を有し、前記支持部材は、前記支持部に回転自在に支持されるシャフト部と、前記シャフト部の両端部からそれぞれ延びる第１のアーム部及び第２のアーム部と、を有し、前記第１のアーム部及び前記第２のアーム部の各々の端部は、前記ベース部に支持され、前記ボス部は、前記キー部の重心位置から所定方向にずれて位置しており、前記シャフト部の前記両端部のうち、前記重心位置に対して前記ボス部とは反対側における端部の前記ベース部からの高さは、他方の端部の前記ベース部からの高さよりも高い。
【０００９】
本態様によれば、シャフト部の両端部のうち、キー部の重心位置に対してボス部とは反対側における一方の端部のベース部からの高さは、他方の端部のベース部からの高さよりも高い。これにより、キートップ部のボス部から遠い側における端部が自重により下がるのが抑制され、キートップ部がベース部に対して斜めに傾くのを抑制することができる。その結果、支持部材によりキートップ部のバランスを良好に保つことができ、キートップ部の押し下げ動作及び復帰動作を安定して行うことができる。
【００１０】
例えば、本発明の一態様に係るキーユニットにおいて、前記第１のアーム部及び前記第２のアーム部の一方は、それらの他方に対して、前記シャフト部の回転方向に且つ前記ベース部側に向けて所定の角度だけねじられているように構成してもよい。
【００１１】
本態様によれば、比較的簡単な構成で、シャフト部の両端部のうち、キー部の重心位置に対してボス部とは反対側における一方の端部のベース部からの高さを、他方の端部のベース部からの高さよりも高くすることができる。
【００１２】
例えば、本発明の一態様に係るキーユニットにおいて、前記第１のアーム部及び前記第２のアーム部の一方の長さは、それらの他方の長さよりも長いように構成してもよい。
【００１３】
本態様によれば、比較的簡単な構成で、シャフト部の両端部のうち、キー部の重心位置に対してボス部とは反対側における一方の端部のベース部からの高さを、他方の端部のベース部からの高さよりも高くすることができる。
【００１４】
例えば、本発明の一態様に係るキーユニットにおいて、前記第１のアーム部及び前記第２のアーム部の一方は、それらの他方に対して離隔する方向に屈曲されているように構成してもよい。
【００１５】
本態様によれば、比較的簡単な構成で、シャフト部の両端部のうち、キー部の重心位置に対してボス部とは反対側における一方の端部のベース部からの高さを、他方の端部のベース部からの高さよりも高くすることができる。
【００１６】
例えば、本発明の一態様に係るキーユニットにおいて、前記第１のアーム部及び前記第２のアーム部の一方は、それらの他方に対して近接する方向に屈曲されているように構成してもよい。
【００１７】
本態様によれば、比較的簡単な構成で、シャフト部の両端部のうち、キー部の重心位置に対してボス部とは反対側における一方の端部のベース部からの高さを、他方の端部のベース部からの高さよりも高くすることができる。
【００１８】
また、本発明の一態様に係る電子機器は、上述したいずれかの態様のキーユニットを備える。
【００１９】
本態様によれば、シャフト部の両端部のうち、キー部の重心位置に対してボス部とは反対側における一方の端部のベース部からの高さは、他方の端部のベース部からの高さよりも高い。これにより、キートップ部のボス部から遠い側における端部が自重により下がるのが抑制され、キートップ部がベース部に対して斜めに傾くのを抑制することができる。その結果、支持部材によりキートップ部のバランスを良好に保つことができ、キートップ部の押し下げ動作及び復帰動作を安定して行うことができる。
【００２０】
例えば、本発明の一態様に係る電子機器において、前記電子機器は、キャッシュレジスタであるように構成してもよい。
【００２１】
本態様によれば、電子機器をキャッシュレジスタで構成することができる。
【発明の効果】
【００２２】
本発明によれば、支持部材によりキートップ部のバランスを良好に保つことができ、キートップ部の押し下げ動作及び復帰動作を安定して行うことができる。
【図面の簡単な説明】
【００２３】
【図１】実施の形態１に係るキーユニットを備えた電子機器の外観を示す斜視図である。
【図２】実施の形態１に係るキーユニットの外観を示す斜視図である。
【図３】図２のキーユニットの一部を拡大して示す斜視図である。
【図４】図２のキーユニットの一部を分解して示す斜視図である。
【図５】キートップ部の裏面側を示す斜視図である。
【図６】図３中のＡ−Ａ線により切断したキーユニットの断面斜視図である。
【図７】図３中のＢ−Ｂ線により切断したキーユニットの断面斜視図である。
【図８Ａ】支持部材を示す図である。
【図８Ｂ】図８Ａ中のＤ−Ｄ線により切断した支持部材の断面図である。
【図８Ｃ】図８Ａ中のＥ−Ｅ線により切断した支持部材の断面図である。
【図９Ａ】支持部材を示す図である。
【図９Ｂ】図９Ａ中のＦ−Ｆ線により切断した支持部材の断面図である。
【図９Ｃ】図９Ａ中のＧ−Ｇ線により切断した支持部材の断面図である。
【図１０】キートップ部が押し下げられていない状態での、図３中のＣ−Ｃ線により切断したキーユニットの断面図である。
【図１１】キートップ部が押し下げられた状態での、図３中のＣ−Ｃ線により切断したキーユニットの断面図である。
【図１２】実施の形態２に係るキーユニットの支持部材を示す図である。
【図１３】実施の形態３に係るキーユニットの支持部材を示す図である。
【図１４】実施の形態４に係るキーユニットの支持部材を示す図である。
【発明を実施するための形態】
【００２４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
［電子機器の構成］
図１は、実施の形態１に係るキーユニット２０を備えた電子機器１の外観を示す斜視図である。図１に示すように、本実施の形態では、電子機器１はキャッシュレジスタである。電子機器１は、筐体１０と、筐体１０のフロントパネルに設けられたキーユニット２０と、を備えている。キーユニット２０は、例えばテンキー等で構成され、数字等をキー入力するためのユニットである。
【００２６】
［キーユニットの構成］
図２は、実施の形態１に係るキーユニット２０の外観を示す斜視図である。図２に示すキーユニット２０は、ベース部２０１と、ベース部２０１に対して上下方向に移動自在に取り付けられた複数のキー部２０２と、を有している。
【００２７】
ベース部２０１は、複数のキー部２０２を押し下げ可能に支持するためのものである。ベース部２０１は、トレイ状に構成されている。
【００２８】
複数のキー部２０２は、押し下げることによりキー入力を実行するためのものである。複数のキー部２０２は、ベース部２０１の上面に所定の配置で並べられている。複数のキー部２０２は、小型の単キー２０２ａ、単キー２０２ａの約２倍の大きさを有する２倍キー２０２ｂ及び単キー２０２ａの約４倍の大きさを有する４倍キー２０２ｃ等を含んでいる。以下では、４倍キー２０２ｃであるキー部２０２の構成について説明する。
【００２９】
図３は、図２のキーユニット２０の一部を拡大して示す斜視図である。図４は、図２のキーユニット２０の一部を分解して示す斜視図である。図５は、キートップ部２２０の裏面側を示す斜視図である。図６は、図３中のＡ−Ａ線により切断したキーユニット２０の断面斜視図である。図７は、図３中のＢ−Ｂ線により切断したキーユニット２０の断面斜視図である。
【００３０】
図４に示すように、ベース部２０１の上面には、キー部２０２に対応して、複数（本実施の形態では４個）のガイド部２１１ａ，２１１ｂ，２１１ｃ，２１１ｄ（以下、「複数のガイド部２１１」と呼ぶことがある）が設けられている。複数のガイド部２１１の各々は、対応するキー部２０２を移動自在にガイドするためのものである。複数のガイド部２１１の各々は円筒状に構成され、対応するキー部２０２に向けて突出している。複数のガイド部２１１は、周方向に間隔を置いて配置されている。さらに、ベース部２０１の上面には、複数（本実施の形態では４個）の取付孔２１２と、２組の一対のアーム支持爪２１３，２１４が設けられている。複数の取付孔２１２は、複数のガイド部２１１よりも外側において、周方向に間隔を置いて配置されている。２組の一対のアーム支持爪２１３，２１４はそれぞれ、一対のガイド部２１１ａ，２１１ｃと一対のガイド部２１１ｂ，２１１ｄとの間において、間隔を置いて配置されている。
【００３１】
ベース部２０１のガイド部２１１ａ，２１１ｂに対応する箇所にはそれぞれ、スイッチ部２１５，２１６が設けられている。本実施の形態では、スイッチ部２１５は、ラバーカップ２１５ａと、ラバーカップ２１５ａの下方に配置されたメンブレンスイッチ２１５ｂとで構成されている。スイッチ部２１６は、スイッチ部２１５と同様に、ラバーカップ２１６ａ及びメンブレンスイッチ２１６ｂで構成されている。スイッチ部２１５，２１６はそれぞれ同じ構成であるので、以下、スイッチ部２１５の構成について説明する。
【００３２】
ラバーカップ２１５ａは、ボス部２２１ａ（後述する）によって押圧されることにより、メンブレンスイッチ２１５ｂ側に弾性変形される。弾性変形されたラバーカップ２１５ａの一部がメンブレンスイッチ２１５ｂを押圧することにより、メンブレンスイッチ２１５ｂがオンにされ、キー入力が実行される。なお、ボス部２２１ａによるラバーカップ２１５ａの押圧が解除されることにより、ラバーカップ２１５ａの弾性変形が復元される。これにより、ラバーカップ２１５ａの一部によるメンブレンスイッチ２１５ｂの押圧が解除され、メンブレンスイッチ２１５ｂがオフにされる。
【００３３】
キー部２０２は、キー部２０２を指等で押し下げるためのキートップ部２２０を有している。キートップ部２２０の裏面側には、複数（本実施の形態では３個）のボス部２２１ａ，２２１ｂ，２２１ｃ（以下、「複数のボス部２２１」と呼ぶことがある）が設けられている。複数のボス部２２１の各々は円筒状に構成され、ベース部２０１に向けて突出している。複数のボス部２２１の各々の長さのうち、ボス部２２１ａの長さが最も長く、ボス部２２１ｃの長さが最も短い。ボス部２２１ａ，２２１ｂ，２２１ｃはそれぞれ、ガイド部２１１ａ，２１１ｂ，２１１ｃに沿って移動自在に挿入されている。キートップ部２２０が押し下げられていない状態において、ボス部２２１ａの先端部は、スイッチ部２１５のラバーカップ２１５ａに接触し（図６参照）、ボス部２２１ｂの先端部は、スイッチ部２１６のラバーカップ２１６ａから離隔している（図７参照）。なお、ボス部２２１ｂの長さは、キートップ部２２０が押し下げられた際に、ボス部２２１ｂの先端部がラバーカップ２１６ａに接触しないような長さに設定されている。すなわち、複数のボス部２２１のうち、ボス部２２１ａは、スイッチ部２１５を押圧するためのボス部である。なお、ボス部２２１ａは、キー部２０２の重心位置よりも第２のアーム部２０３ｃ，２０４ｃ（後述する）側に位置している。
【００３４】
ユーザがキートップ部２２０を指等で押し下げた際には、ボス部２２１ａがラバーカップ２１５ａを押圧することにより、上述したようにメンブレンスイッチ２１５ｂがオンにされる。このとき、スイッチ部２１６のメンブレンスイッチ２１６ｂは、ボス部２２１ｂによって押圧されない。ユーザがキートップ部２２０から指等を離した際には、ラバーカップ２１５ａの弾性復元力によってボス部２２１ａが押し上げられることにより、キートップ部２２０が押し上げられて元の位置に復帰する。
【００３５】
なお、スイッチ部２１５，２１６はそれぞれ、異なるキー入力の機能を有する。キートップ部２２０を上下の向きを逆にしてベース部２０１に取り付けることにより、キートップ部２２０により押圧されるスイッチ部を、スイッチ部２１５からスイッチ部２１６に変更することができる。すなわち、キートップ部２２０が押し下げられることにより、スイッチ部２１６のメンブレンスイッチ２１６ｂがボス部２２１ｂにより押圧される。
【００３６】
また、キートップ部２２０の裏面側には、複数の取付孔２１２に対応して、複数の取付爪２２２が設けられている。複数の取付爪２２２の各々は、ベース部２０１に向けて延びており、取付孔２１２に挿入されている。複数の取付爪２２２の各々の先端部には爪部２２２ａが設けられており、この爪部２２２ａによって、取付爪２２２が取付孔２１２から引き抜かれるのが阻止される。さらに、キートップ部２２０の裏面側には、２組の一対の支持部２２３，２２４が設けられている。
【００３７】
キー部２０２とベース部２０１との間には、キー部２０２をベース部２０１側から支持するための一対の支持部材２０３，２０４が設けられている。なお、一対の支持部材２０３，２０４はそれぞれ、例えば、金属及び弾性を有する樹脂等で構成することができる。図８Ａは、支持部材２０３を示す図である。図８Ｂは、図８Ａ中のＤ−Ｄ線により切断した支持部材２０３の断面図である。図８Ｃは、図８Ａ中のＥ−Ｅ線により切断した支持部材２０３の断面図である。図９Ａは、支持部材２０４を示す図である。図９Ｂは、図９Ａ中のＦ−Ｆ線により切断した支持部材２０４の断面図である。図９Ｃは、図９Ａ中のＧ−Ｇ線により切断した支持部材２０４の断面図である。
【００３８】
図８Ａに示すように、支持部材２０３は、シャフト部２０３ａと、シャフト部２０３ａの両端部からそれぞれ延びる第１のアーム部２０３ｂ及び第２のアーム部２０３ｃと、を有している。第１のアーム部２０３ｂ及び第２のアーム部２０３ｃはそれぞれ、シャフト部２０３ａに対して垂直に延びている。第１のアーム部２０３ｂの長さと第２のアーム部２０３ｃの長さとは、同じ長さである。図８Ｂ及び図８Ｃに示すように、第１のアーム部２０３ｂは、第２のアーム部２０３ｃに対して、シャフト部２０３ａの回転方向に且つベース部２０１側に向けて所定の角度αだけねじられている。なお、所定の角度αの大きさは、支持部材２０３の大きさ等に応じて適宜設定することができる。例えば、第１のアーム部２０３ｂ及び第２のアーム部２０３ｃの各々の長さが１０ｍｍである場合、上記所定の角度αは２〜３°である。
【００３９】
シャフト部２０３ａは、支持部材２０３をキートップ部２２０に対して回転自在に支持させるためのものである。図５に示すように、シャフト部２０３ａは、一対の支持部２２３に対して回転自在に支持されている。
【００４０】
第１のアーム部２０３ｂは、キートップ部２２０のボス部２２１ｂ，２２１ｃ側における端部（すなわち、キートップ部２２０のボス部２２１ａから遠い側における端部）をベース部２０１側から支持するためのものであり、第２のアーム部２０３ｃは、キートップ部２２０のボス部２２１ａ側における端部をベース部２０１側から支持するためのものである。図４に示すように、第１のアーム部２０３ｂは、シャフト部２０３ａの一方の端部からベース部２０１に向けて斜めに延び、第２のアーム部２０３ｃは、シャフト部２０３ａの他方の端部からベース部２０１に向けて斜めに延びている。第１のアーム部２０３ｂ及び第２のアーム部２０３ｃの各々の先端部は、一対のアーム支持爪２１３に対して移動自在に支持されている。第１のアーム部２０３ｂはボス部２２１ｂ，２２１ｃ側に配置され、第２のアーム部２０３ｃはボス部２２１ａ側に配置されている。上述したように、第１のアーム部２０３ｂが第２のアーム部２０３ｃに対して上記所定の角度αだけねじられている。これにより、図５及び後述する図１０に示すように、ボス部２２１ａがスイッチ部２１５を押圧していない状態において、シャフト部２０３ａの一方の端部（すなわち、キー部２０２の重心位置に対してボス部２２１ａとは反対側における一方の端部）のベース部２０１からの高さＨ１は、シャフト部２０３ａの他方の端部のベース部２０１からの高さＨ２よりも高くなる。なお、高さＨ１と高さＨ２との差は、例えば０．２〜０．５ｍｍである。
【００４１】
図９Ａに示すように、支持部材２０４は、支持部材２０３と同様に、シャフト部２０４ａと、シャフト部２０４ａの両端部からそれぞれ延びる第１のアーム部２０４ｂ及び第２のアーム部２０４ｃと、を有している。図９Ｂ及び図９Ｃに示すように、第１のアーム部２０４ｂは、第２のアーム部２０４ｃに対して、シャフト部２０４ａの回転方向に且つベース部２０１側に向けて所定の角度αだけねじられている。
【００４２】
図５に示すように、シャフト部２０４ａは、一対の支持部２２４に対して回転自在に支持されている。図４に示すように、第１のアーム部２０４ｂ及び第２のアーム部２０４ｃはそれぞれ、シャフト部２０４ａからベース部２０１に向けて斜めに延びており、それらの先端部は、一対のアーム支持爪２１４に対して移動自在に支持されている。第１のアーム部２０４ｂはボス部２２１ｂ，２２１ｃ側に配置され、第２のアーム部２０４ｃはボス部２２１ａ側に配置されている。上述したように、第１のアーム部２０４ｂが第２のアーム部２０４ｃに対して上記所定の角度αだけねじられている。これにより、図５及び後述する図１０に示すように、ボス部２２１ａがスイッチ部２１５を押圧していない状態において、シャフト部２０４ａの一方の端部（すなわち、キー部２０２の重心位置に対してボス部２２１ａとは反対側における一方の端部）のベース部２０１からの高さＨ１は、シャフト部２０４ａの他方の端部のベース部２０１からの高さＨ２よりも高くなる。なお、上述と同様に、高さＨ１と高さＨ２との差は、例えば０．２〜０．５ｍｍである。
【００４３】
［キーユニットの動作及び効果］
図１０は、キートップ部２２０が押し下げられていない状態での、図３中のＣ−Ｃ線により切断したキーユニット２０の断面図である。図１１は、キートップ部２２０が押し下げられた状態での、図３中のＣ−Ｃ線により切断したキーユニット２０の断面図である。
【００４４】
一般に、ボス部２２１ａがキー部２０２の重心位置から所定方向にずれた位置に設けられている場合には、ボス部２２１ａから遠い側におけるキートップ部２２０の端部（本実施の形態では、ボス部２２１ｂ，２２１ｃが設けられている側の端部）が自重で下がることにより、キートップ部２２０がベース部２０１に対して斜めに傾く傾向にある。
【００４５】
本実施の形態では、図１０に示すように、キートップ部２２０が押し下げられていない状態では、シャフト部２０３ａ，２０４ａの一方の端部のベース部２０１からの高さＨ１は、シャフト部２０３ａ，２０４ａの他方の端部のベース部２０１からの高さＨ２よりも高い。これにより、ボス部２２１ｂ，２２１ｃが設けられている側のキートップ部２２０の端部が第１のアーム部２０３ｂ，２０４ｂにより押し上げられるので、キートップ部２２０がベース部２０１に対して斜めに傾くのが抑制され、キートップ部２２０のバランスを良好に保つことができる。
【００４６】
図１１に示すように、キートップ部２２０が押し下げられた際には、シャフト部２０３ａが一対の支持部２２３に対して回転されるとともに、第１のアーム部２０３ｂ及び第２のアーム部２０３ｃがそれぞれベース部２０１の上面に対してスライド移動される。これと同時に、シャフト部２０４ａが支持部２２４に対して回転されるとともに、第１のアーム部２０４ｂ及び第２のアーム部２０４ｃがそれぞれベース部２０１の上面に対してスライド移動される。このようにして、一対の支持部材２０３，２０４はそれぞれ、斜めに少し倒れながらキートップ部２２０をベース部２０１側より支持する。これにより、キートップ部２２０は、一対の支持部材２０３，２０４によってバランスが保たれながら押し下げられる。
【００４７】
キートップ部２２０が押し上げられる際には、シャフト部２０３ａが一対の支持部２２３に対して回転されるとともに、第１のアーム部２０３ｂ及び第２のアーム部２０３ｃがそれぞれベース部２０１の上面に対してスライド移動される。これと同時に、シャフト部２０４ａが支持部２２４に対して回転されるとともに、第１のアーム部２０４ｂ及び第２のアーム部２０４ｃがそれぞれベース部２０１の上面に対してスライド移動される。このようにして、一対の支持部材２０３，２０４はそれぞれ、少し起こされながらキートップ部２２０をベース部２０１側より支持する。これにより、キートップ部２２０は、一対の支持部材２０３，２０４によってバランスが保たれながら、押し上げられて元の位置に復帰する。
【００４８】
従って、本実施の形態では、一対の支持部材２０３，２０４によりキートップ部２２０のバランスを良好に保つことができ、キートップ部２２０の押し下げ動作及び復帰動作を安定して行うことができる。
【００４９】
（実施の形態２）
図１２は、実施の形態２に係るキーユニットの支持部材２０３Ａを示す図である。図１２に示すように、本実施の形態の支持部材２０３Ａでは、第１のアーム部２０３Ａｂの長さＬ１は、第２のアーム部２０３Ａｃの長さＬ２よりも長い。また、第１のアーム部２０３Ａｂ及び第２のアーム部２０３Ａｃはそれぞれ、平行に且つ同じ方向に延びている。
【００５０】
これにより、本実施の形態においても、キートップ部２２０が押し下げられていない状態において、シャフト部２０３ａの一方の端部のベース部２０１からの高さは、シャフト部２０３ａの他方の端部のベース部２０１からの高さよりも高くなる。従って、本実施の形態においても、上記実施の形態１と同様の効果を得ることができる。
【００５１】
（実施の形態３）
図１３は、実施の形態３に係るキーユニットの支持部材２０３Ｂを示す図である。図１３に示すように、本実施の形態の支持部材２０３Ｂでは、第２のアーム部２０３Ｂｃは、第１のアーム部２０３Ｂｂに対して離隔する方向に所定の角度βだけ屈曲されている。なお、シャフト部２０３ａ、第１のアーム部２０３Ｂｂ及び第２のアーム部２０３Ｂｃは、同一平面上に配置されている。
【００５２】
これにより、本実施の形態においても、キートップ部２２０が押し下げられていない状態において、シャフト部２０３ａの一方の端部のベース部２０１からの高さは、シャフト部２０３ａの他方の端部のベース部２０１からの高さよりも高くなる。従って、本実施の形態においても、上記実施の形態１と同様の効果を得ることができる。
【００５３】
（実施の形態４）
図１４は、実施の形態４に係るキーユニットの支持部材２０３Ｃを示す図である。図１４に示すように、本実施の形態の支持部材２０３Ｃでは、第２のアーム部２０３Ｃｃは、第１のアーム部２０３Ｃｂに対して近接する方向に所定の角度γだけ屈曲されている。なお、シャフト部２０３ａ、第１のアーム部２０３Ｃｂ及び第２のアーム部２０３Ｃｃは、同一平面上に配置されている。
【００５４】
これにより、本実施の形態においても、キートップ部２２０が押し下げられていない状態において、シャフト部２０３ａの一方の端部のベース部２０１からの高さは、シャフト部２０３ａの他方の端部のベース部２０１からの高さよりも高くなる。従って、本実施の形態においても、上記実施の形態１と同様の効果を得ることができる。
【００５５】
以上、本発明の実施の形態に係るキーユニット及びこれを備えた電子機器について説明したが、本発明は、この実施の形態に限定されるものではない。
【００５６】
例えば、上記各実施の形態をそれぞれ組み合わせるとしてもよい。
【００５７】
上記各実施の形態では、電子機器がキャッシュレジスタである場合について説明したが、電子機器は、キャッシュレジスタ以外に、例えば電卓及び電話機、パーソナルコンピュータのキーボード等でもよい。
【００５８】
上記各実施の形態では、キー部が４倍キーである場合について説明したが、キー部は、例えば単キー及び２倍キー等でもよい。
【００５９】
上記各実施の形態では、キートップ部に支持部材が２個設けられている場合について説明したが、キートップ部に支持部材を１個のみ設けることもできる。
【００６０】
上記各実施の形態では、スイッチ部がメンブレンスイッチである場合について説明したが、スイッチ部は、例えばタクトスイッチ等でもよい。
【００６１】
上記各実施の形態では、キートップ部は、スイッチ部のラバーカップの弾性復元力により押し上げられて元の位置に復帰する場合について説明したが、例えば、キートップ部を押し上げるためのコイルばね等を設けることもできる。
【００６２】
また、上記各実施の形態において、支持部材の第１のアーム部と第２のアーム部とを入れ替えることも可能である。
【産業上の利用可能性】
【００６３】
本発明は、キー入力を行うためのキーユニット及びこれを備えた電子機器として適用することができる。
【符号の説明】
【００６４】
１  電子機器
１０  筐体
２０  キーユニット
２０１  ベース部
２０２  キー部
２０２ａ  単キー
２０２ｂ  ２倍キー
２０２ｃ  ４倍キー
２０３，２０３Ａ，２０３Ｂ，２０３Ｃ，２０４  支持部材
２０３ａ，２０４ａ  シャフト部
２０３ｂ，２０３Ａｂ，２０３Ｂｂ，２０３Ｃｂ，２０４ｂ  第１のアーム部
２０３ｃ，２０３Ａｃ，２０３Ｂｃ，２０３Ｃｃ，２０４ｃ  第２のアーム部２１１，２１１ａ，２１１ｂ，２１１ｃ，２１１ｄ  ガイド部
２１２  取付孔
２１３，２１４  アーム支持爪
２１５，２１６  スイッチ部
２１５ａ，２１６ａ  ラバーカップ
２１５ｂ，２１６ｂ  メンブレンスイッチ
２２０  キートップ部
２２１，２２１ａ，２２１ｂ，２２１ｃ  ボス部
２２２  取付爪
２２２ａ  爪部
２２３，２２４  支持部
【図１】
2014075203.tif 000003
【図２】
2014075203.tif 000004
【図３】
2014075203.tif 000005
【図４】
2014075203.tif 000006
【図５】
2014075203.tif 000007
【図６】
2014075203.tif 000008
【図７】
2014075203.tif 000009
【図８Ａ】
2014075203.tif 000010
【図８Ｂ】
2014075203.tif 000011
【図８Ｃ】
2014075203.tif 000012
【図９Ａ】
2014075203.tif 000013
【図９Ｂ】
2014075203.tif 000014
【図９Ｃ】
2014075203.tif 000015
【図１０】
2014075203.tif 000016
【図１１】
2014075203.tif 000017
【図１２】
2014075203.tif 000018
【図１３】
2014075203.tif 000019
【図１４】
2014075203.tif 000020